(57)【要約】棚の一対の横梁の上に載せ置かれる載置枠には、少なくとも２本のアングル材レール(22)と、このアングル材レールを横切るように延びる複数のＣ形材レール(21)とが備えられる。落下を防止すべく、格子棚板(10)が、次のように組み込まれている。すなわち、格子棚板(10)がＣ形材レール(11)の下面に突き当てられており、格子棚板(10)に溶接または溶着された支持ロッド(13)は、格子棚板(10)の寸法から突き出て、アングル材レール(22)上に載せ置かれている。したがって、格子棚板(10)は、固定用の部材または材料を用いることなく、載置枠中に、しっかりと固定される。【選択図】図３
2016502966.tif 000002
【特許請求の範囲】
【請求項１】
少なくとも2本のアングル材レール(22)と、これらを横切るように延びる複数のＣ形材レール(21)とを備え、Ｃ形材レール(21)のフランジ(23)が、アングル材レール(22)に接続している載置枠において、
アングル材レール(22)と、Ｃ形材レール(21)との間には、格子棚板(10)が組み込まれており、この格子棚板(10)には、互いに横切るように延びる格子ロッド(11,12)と、格子ロッド(11,12)に接続されて、格子棚板(10)の平面に対して平行に延びる複数の支持ロッド(13)とが備えられ、これら支持ロッド(13)は、両側にて、格子棚板(10)の寸法を超えて突き出していることを特徴とする載置枠。
【請求項２】
格子ロッド(11,12)がＣ形材レール(21)のフランジ(23)に突き当てられており、支持ロッド(13)における、格子棚板(10)の寸法を超えて突き出す部分が、アングル材レール(22)上に載せ置かれている請求項１に記載の載置枠。
【請求項３】
Ｃ形材レール(21)の方向に延びる格子ロッド(11)の長さは、アングル材レール(22)同士の間隔より、短い請求項２に記載の載置枠。
【請求項４】
Ｃ形材レール(21)における両方のフランジ(23)が、アングル材レール(22)にネジ止めされている請求項１〜３のいずれかに記載の載置枠。
【請求項５】
各支持ロッド(13)が、Ｃ形材レール(21)における両方のフランジ(23)の間に、これらに沿って延びている請求項１〜４のいずれかに記載の載置枠。
【発明の詳細な説明】
【技術分野及び背景技術】
【０００１】
国際公開WO2011/124383A1により、棚の一対の横梁の上に載せ置かれる、次のような載置枠が公知となっている。すなわち、少なくとも２本のアングル材（山形材）レールと、このアングル材レールに交差して延びる複数のＣ形材（断面Ｃ字状の形材）レールとを備え、Ｃ形材レールのフランジがアングル材レールに接続している。
【０００２】
ドイツ実用新案DE88 02840 U1, DE20 2005 004915 U1, DE20 2005 001681 U1及びDE1915671Uにより、次のような格子棚板が知られている。すなわち、互いに交差して延びる複数の格子ロッドと、複数の支持ロッドとを備えており、これら支持ロッドは、格子棚板の平面に平行に延び、格子ロッドに接続しており、両側にて、格子棚板の寸法より外側に突き出している。
【先行技術文献】
【特許文献】
【０００３】
【特許文献１】ヨーロッパ特許出願公開EP2253245A1
【特許文献２】国際公開WO 2011/124383 A1
【特許文献３】ヨーロッパ特許出願公開EP2085332A1
【発明の概要】
【発明が解決しようとする課題】
【０００４】
本発明の課題は、格子棚板付きの載置枠を、例えば落下防止のために棚中に設けることができ、格子棚板について、接続用または固定用の部材や材料を用いることなく、また、これといった組立コストなしに、載置枠に組み込むことができるようにすることである。
【課題を解決するための手段】
【０００５】
上記課題は、棚の一対の横梁の上に載せ置かれる、以下のような載置枠により解決される。載置枠は、少なくとも2本のアングル材レールと、これらを横切るように延びる複数のＣ形材レールとを備え、Ｃ形材レールのフランジが、アングル材レールに接続している。また、アングル材レールと、Ｃ形材レールとの間には、格子棚板が組み込まれており、この格子棚板には、互いに横切るように延びる格子ロッドと、格子ロッドに接続されて、格子棚板の平面に対して平行に延びる複数の支持ロッドとが備えられ、これら支持ロッドは、両側にて、格子棚板の寸法を超えて突き出す。
【０００６】
格子棚板は、次のようにして、載置枠に組み込まれる。すなわち、下方へのズレ動きに対しては、格子棚板の支持ロッドを、載置枠のアングル材レールに載せ置くことにより保持される。また、上方へのズレ動きに対しては、格子棚板の格子ロッドを、Ｃ形材レールの下面に突き当てることにより保持される。載置枠におけるＣ形材レールとアングル材レールとをネジ止めすることにより、この間に、格子棚板は、位置ズレ不能に固定される。
【図面の簡単な説明】
【０００７】
【図１】格子棚板の平面図である。
【図２】格子棚板の端面図である。
【図３】格子棚板を組み込んだ、棚の載置枠について、下方から見た図である。
【図４】格子棚板を組み込んだ載置枠の部分拡大端面図である。
【発明を実施するための形態】
【０００８】
図１及び２によると、格子棚板１０は、複数の長手方向ロッド１１と、長手方向ロッド１１に溶接または溶着されるとともに長手方向ロッド１１に直交して延びる複数の横方向ロッド１２と、長手方向ロッド１１に平行に延びる支持ロッド１３とを含む。支持ロッド１３は、長手方向ロッド１１とは逆の側にて、横方向ロッド１２に溶接または溶着されている。本実施例において、格子棚板１０には、全部で3本の支持ロッド１３が備えられ、これらのうち、1本は、格子棚板１０についての横方向における中央部に配置され、他の2本は、格子棚板１０の側方の縁から間隔を置いて配置されている。
【０００９】
図３及び４によると、載置枠は、孔を開けた複数のＣ形材レール２１と、これらＣ形材レール２１に取り付けられ、これらＣ形材レール２１に直交して延びる複数のアングル材レール２２とを含む。Ｃ形材レール２１は、棚の長手方向に延びている。すなわち、棚の奥行き方向に延びるように向けられている。また、アングル材レール２２は、Ｃ形材レール２１における互いに向き合う２つのフランジ２３に、「２４」の箇所でネジ止めされている。載置枠は、本実施例において、2本のアングル材レール２２と、5本のＣ形材レール２１とを備える。2本のアングル材レール２２の間の間隔は、棚の横梁間の間隔よりも、多少小さい。また、5本のＣ形材レール２１は、1本がアングル材レール２２の中央に配置され、アングル材レール２２の両端の近傍に、各2本がそれぞれ対をなすようにして配置される。
【００１０】
載置枠をネジ止めにより組み立てる際、格子棚板１０は、載置枠に、次のようにして、内部に組み込まれる。格子棚板１０の横方向ロッド１２は、Ｃ形材レール２１における各フランジ２３の下面に突き当てられる。また、支持ロッド１３は、アングル材レール２２の上に載せ置かれる。奥行方向における格子棚板１０の寸法は、2本のアングル材レール２２間の間隔に合うように設定される。ところが、支持ロッド１３は、各アングル材レール２２より外側へと突き出すように寸法が設定される。支持ロッド１３は、次のような具合に、格子棚板１０に設けられている。すなわち、いずれもが、Ｃ形材レール２１における両フランジ２３の間に、これらに沿って延びるように設けられている。
【００１１】
このようにして、格子棚板１０は、さらなる固定用またはクランプ用の部材や材料を用いることなく、載置枠に、位置ズレ不能に接続される。
【図１】
2016502966.tif 000003
【図２】
2016502966.tif 000004
【図３】
2016502966.tif 000005
【図４】
2016502966.tif 000006
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
棚の一対の横梁の上に載せ置かれる載置枠であって、少なくとも2本のアングル材レール(22)と、これらを横切るように延びる複数のＣ形材レール(21)とを備え、Ｃ形材レール(21)のフランジ(23)が、アングル材レール(22)に接続している載置枠において、
アングル材レール(22)と、Ｃ形材レール(21)との間には、格子棚板(10)が組み込まれており、この格子棚板(10)には、互いに横切るように延びる格子ロッド(11,12)と、格子ロッド(11,12)に接続されて、格子棚板(10)の平面に対して平行に延びる複数の支持ロッド(13)とが備えられ、各支持ロッド(13)は、両側にて、格子棚板(10)の寸法を超えて突き出しており、Ｃ形材レール(21)における両方のフランジ(23)の間に、これらに沿って延びていることを特徴とする載置枠。
【請求項２】
格子ロッド(11,12)がＣ形材レール(21)のフランジ(23)に突き当てられており、支持ロッド(13)における、格子棚板(10)の寸法を超えて突き出す部分が、アングル材レール(22)上に載せ置かれている請求項１に記載の載置枠。
【請求項３】
Ｃ形材レール(21)の方向に延びる格子ロッド(11)の長さは、アングル材レール(22)同士の間の間隔より、短い請求項２に記載の載置枠。
【請求項４】
Ｃ形材レール(21)における両方のフランジ(23)が、アングル材レール(22)にネジ止めされている請求項１〜３のいずれかに記載の載置枠。
【国際調査報告】
2016502966.tif 000007
2016502966.tif 000008
2016502966.tif 000009
2016502966.tif 000010